(57)【特許請求の範囲】
【請求項１】
トンネル内壁面に打設された覆工コンクリートを養生する際に用いる養生水を回収する養生水回収装置であって、覆工コンクリートの内壁面を伝って落下する養生水を受ける樋部材と、この樋部材を前記覆工コンクリートの内壁面に係止する係止部材とから成り、前記係止部材は、前記覆工コンクリートの内壁面に設けた被係止部材に係止する係止部と前記樋部材を支持する支持部とを有することを特徴とする養生水回収装置。
【請求項２】
請求項１記載の養生水回収装置において、前記樋部材には、前記覆工コンクリートの内壁面と接触して該覆工コンクリートの内壁面を伝って落下する養生水を該樋部材内へとガイド導入するガイド導入部が設けられていることを特徴とする養生水回収装置。
【請求項３】
請求項１，２いずれか１項に記載の養生水回収装置において、前記樋部材は、前記覆工コンクリートの左右の内壁面に夫々、トンネル長手方向一端側若しくは他端側に養生水を集めるようにトンネル長手方向に複数並設されていることを特徴とする養生水回収装置。
【請求項４】
請求項３記載の養生水回収装置において、前記樋部材はトンネル長手方向一端側若しくは他端側に傾斜するように設けられていることを特徴とする養生水回収装置。
【請求項５】
請求項３，４いずれか１項に記載の養生水回収装置において、前記複数の樋部材同士は連結部材を介して連結されており、この連結部材は、前記樋部材の裏面側に重合せしめられ隣接する樋部材同士を連通せしめる連通部材と、この連通部材を前記樋部材に固定する固定部材とで構成されていることを特徴とする養生水回収装置。
【請求項６】
請求項５記載の養生水回収装置において、前記連通部材は、隣接する前記樋部材同士間裏面側に重合せしめられる基部と、隣接する前記樋部材同士間に配設されるループ状若しくは鉤状の突出部とから成り、前記固定部材は、前記隣接する前記樋部材同士間表面側において前記突出部に挿入される楔部材であることを特徴とする養生水回収装置。
【請求項７】
請求項１〜６いずれか１項に記載の養生水回収装置において、前記係止部材は上端側に前記係止部が設けられ、下端側に前記支持部が設けられたもので、前記被係止部材に吊下げ係止されるフック形状に構成されていることを特徴とする養生水回収装置。
【請求項８】
請求項７記載の養生水回収装置において、前記樋部材の吊下げ高さ及び前記樋部材の支持角度を可変し得るように前記係止部材が構成されていることを特徴とする養生水回収装置。
【請求項９】
請求項１〜８いずれか１項に記載の養生水回収装置において、前記樋部材に集まった前記養生水を回収する回収機構が設けられていることを特徴とする養生水回収装置。
【請求項１０】
請求項１〜９いずれか１項に記載の養生水回収装置において、前記覆工コンクリートの内壁面には、前記覆工コンクリートに養生水を供給する養生装置をトンネル長手方向に移動させるためのレールが設けられ、前記被係止部材は、前記レールを支承する支承部材に架設される横架部材であることを特徴とする養生水回収装置。
【請求項１１】
請求項１〜１０いずれか１項に記載の前記養生水回収装置における前記係止部材の係止部を前記被係止部材に係止すると共に前記係止部材の支持部に前記樋部材を支持せしめ、この樋部材をトンネル長手方向に複数設けた後、前記トンネル内を移動する養生装置により前記覆工コンクリートに養生水を供給し、前記覆工コンクリートの内壁面を伝う養生水を前記樋部材を用いて回収することを特徴とする養生水回収方法。
【発明の詳細な説明】
【技術分野】
【０００１】
本発明は、養生水回収装置及び養生水回収方法に関するものである。
【背景技術】
【０００２】
アーチ状のトンネルの内壁面に打設された覆工コンクリートを養生するための養生装置として、例えば特許文献１に開示されるように、シート材と覆工コンクリートとの間の空間に霧状の水を噴霧して養生を行うものが提案されている。
【先行技術文献】
【特許文献】
【０００３】
【特許文献１】特開２０１２−４６９８６号公報
【発明の概要】
【発明が解決しようとする課題】
【０００４】
ところで、水を噴霧して覆工コンクリートの養生を行う場合、十分な養生を行うために噴霧量を多めにする結果、余剰の水が覆工コンクリート内壁面を伝って路盤に落下し、路盤に溜まった水が作業者や作業機械の往来の妨げになる等の問題が生じる。
【０００５】
本発明は、上述のような問題点を解決したもので、余剰の養生水が覆工コンクリート内壁面を伝って路盤に落下することを防止することができ、また、回収した養生水を再利用することもできる極めて実用性に秀れた養生水回収装置及び養生水回収方法を提供するものである。
【課題を解決するための手段】
【０００６】
添付図面を参照して本発明の要旨を説明する。
【０００７】
トンネル内壁面に打設された覆工コンクリート１を養生する際に用いる養生水を回収する養生水回収装置であって、覆工コンクリート１の内壁面を伝って落下する養生水２を受ける樋部材３と、この樋部材３を前記覆工コンクリート１の内壁面に係止する係止部材４とから成り、前記係止部材４は、前記覆工コンクリート１の内壁面に設けた被係止部材６に係止する係止部７と前記樋部材３を支持する支持部８とを有することを特徴とする養生水回収装置に係るものである。
【０００８】
また、請求項１記載の養生水回収装置において、前記樋部材３には、前記覆工コンクリート１の内壁面と接触して該覆工コンクリート１の内壁面を伝って落下する養生水２を該樋部材３内へとガイド導入するガイド導入部５が設けられていることを特徴とする養生水回収装置に係るものである。
【０００９】
また、請求項１，２いずれか１項に記載の養生水回収装置において、前記樋部材３は、前記覆工コンクリート１の左右の内壁面に夫々、トンネル長手方向一端側若しくは他端側に養生水２を集めるようにトンネル長手方向に複数並設されていることを特徴とする養生水回収装置に係るものである。
【００１０】
また、請求項３記載の養生水回収装置において、前記樋部材３はトンネル長手方向一端側若しくは他端側に傾斜するように設けられていることを特徴とする養生水回収装置に係るものである。
【００１１】
また、請求項３，４いずれか１項に記載の養生水回収装置において、前記複数の樋部材３同士は連結部材９を介して連結されており、この連結部材９は、前記樋部材３の裏面側に重合せしめられ隣接する樋部材３同士を連通せしめる連通部材10と、この連通部材10を前記樋部材３に固定する固定部材11とで構成されていることを特徴とする養生水回収装置に係るものである。
【００１２】
また、請求項５記載の養生水回収装置において、前記連通部材10は、隣接する前記樋部材３同士間裏面側に重合せしめられる基部33と、隣接する前記樋部材３同士間に配設されるループ状若しくは鉤状の突出部15とから成り、前記固定部材11は、前記隣接する前記樋部材３同士間表面側において前記突出部15に挿入される楔部材であることを特徴とする養生水回収装置に係るものである。
【００１３】
また、請求項１〜６いずれか１項に記載の養生水回収装置において、前記係止部材４は上端側に前記係止部７が設けられ、下端側に前記支持部８が設けられたもので、前記被係止部材６に吊下げ係止されるフック形状に構成されていることを特徴とする養生水回収装置に係るものである。
【００１４】
また、請求項７記載の養生水回収装置において、前記樋部材３の吊下げ高さ及び前記樋部材３の支持角度を可変し得るように前記係止部材４が構成されていることを特徴とする養生水回収装置に係るものである。
【００１５】
また、請求項１〜８いずれか１項に記載の養生水回収装置において、前記樋部材３に集まった前記養生水２を回収する回収機構が設けられていることを特徴とする養生水回収装置に係るものである。
【００１６】
また、請求項１〜９いずれか１項に記載の養生水回収装置において、前記覆工コンクリート１の内壁面には、前記覆工コンクリート１に養生水２を供給する養生装置12をトンネル長手方向に移動させるためのレール13が設けられ、前記被係止部材６は、前記レール13を支承する支承部材14に架設される横架部材であることを特徴とする養生水回収装置に係るものである。
【００１７】
また、請求項１〜１０いずれか１項に記載の前記養生水回収装置における前記係止部材４の係止部７を前記被係止部材６に係止すると共に前記係止部材４の支持部８に前記樋部材３を支持せしめ、この樋部材３をトンネル長手方向に複数設けた後、前記トンネル内を移動する養生装置12により前記覆工コンクリート１に養生水２を供給し、前記覆工コンクリート１の内壁面を伝う養生水２を前記樋部材３を用いて回収することを特徴とする養生水回収方法に係るものである。
【発明の効果】
【００１８】
本発明は上述のように構成したから、余剰の養生水が覆工コンクリート内壁面を伝って路盤に落下することを防止することができ、また、回収した養生水を再利用することもできる極めて実用性に秀れた養生水回収装置及び養生水回収方法となる。
【図面の簡単な説明】
【００１９】
【図１】本実施例の説明横断面図である。
【図２】本実施例の要部の拡大説明斜視図である。
【図３】本実施例の要部の拡大説明横断面図である。
【図４】本実施例の連結部材の分解説明斜視図である。
【図５】本実施例の連結部材の概略説明斜視図である。
【図６】本実施例の回収機構の概略説明図である。
【発明を実施するための形態】
【００２０】
好適と考える本発明の実施形態を、図面に基づいて本発明の作用を示して簡単に説明する。
【００２１】
樋部材３を覆工コンクリート１の内壁面に設けることで、養生装置による養生水２の供給量が過剰であっても、覆工コンクリート１の内壁面を伝って落下する養生水２を樋部材３で回収することができる。また、この際、例えば覆工コンクリート１の内壁面に接触するガイド導入部５を設けた場合には、養生水２を良好に樋部材３内へガイド導入することが可能となる。
【００２２】
また、樋部材３の覆工コンクリート１の内壁面への取付けは、係止部材４を用いて容易に行うことができる。例えば、係止部材４の係止部７を被係止部材６に係止すると共に係止部材４の支持部８に樋部材３を支持せしめ、この樋部材３を（ガイド導入部５が覆工コンクリート１の内壁面に接触するように）トンネル長手方向に複数設けることで、トンネル内を移動する養生装置12により供給されて覆工コンクリート１の内壁面を伝って落下する養生水２を、この樋部材３により簡易且つ良好に集水・回収・再利用することができる。
【実施例】
【００２３】
本発明の具体的な実施例について図面に基づいて説明する。
【００２４】
本実施例は、トンネル内壁面に打設された覆工コンクリート１を養生する際に用いる養生水を回収する養生水回収装置であって、養生中の覆工コンクリート１の内壁面を伝って落下する養生水２を受ける樋部材３と、この樋部材３を前記覆工コンクリート１の内壁面に係止する係止部材４とから成り、前記樋部材３には、前記覆工コンクリート１の内壁面と接触して該覆工コンクリート１の内壁面を伝って落下する養生水２を該樋部材３内へとガイド導入するガイド導入部５が設けられ、前記係止部材４は、前記覆工コンクリート１の内壁面に設けた被係止部材６に係止する係止部７と前記樋部材３を支持する支持部８とを有する養生水回収装置である。
【００２５】
具体的には、本実施例は、図１に図示したように、養生水２を噴霧若しくは散水する養生水供給機構と、前記覆工コンクリート内壁面と間隔をおいて設けられる架台17と、前記覆工コンクリート１の左右の対向内壁面に夫々設けられトンネル長手方向に延びる一対のレール13とから成り、前記架台17には前記覆工コンクリート内壁面との間に空間を形成する遮水性を有するシート材18が設けられ、更に、前記架台17には前記レール13上を走行可能な走行部19（車輪）が設けられている養生装置12を用いる場合について説明する。図中符号20は噴霧口である。
【００２６】
即ち、本実施例に用いる養生装置12は、アーチ状の覆工コンクリート１を打設する覆工型枠により一時に打設され該覆工型枠の前進移動により露出した所定区間（例えば１日に約１０ｍずつ打設）の覆工コンクリート１の表面と対向するように、覆工型枠の後方にシート材18を設ける架台17を設け、この架台17を覆工型枠に連結し、覆工型枠移動に伴って追従移動せしめつつ養生を行うものであり、覆工型枠による打設・前進移動による養生を要する覆工コンクリート１の表面区間の増加に伴い、順次後方に架台を（約１０ｍ単位で１台ずつ）増設連結するか若しくは１つの架台で前進・後進を繰り返して対象区間を逐次養生していくものである。
【００２７】
各部を具体的に説明する。
【００２８】
樋部材３としては、図２，３に図示したような、金属製の断面視Ｌ字状のもの（アングル材）を採用している。この樋部材３の覆工コンクリート内壁面側の片部の内面には、覆工コンクリート内壁面側に突出するように厚さ数ｍｍのゴムシート（ガイド導入部５）が樋部材３の長手方向全長にわたって貼着されている。
【００２９】
この樋部材３を、前記覆工コンクリート１の左右の内壁面に夫々、トンネル長手方向一端側若しくは他端側に養生水２を集めるようにトンネル長手方向に沿って複数並設する。即ち、トンネル底面（路盤）がトンネル長手方向一端側（若しくは他端側）に向かって下り若しくは上り傾斜している場合には、トンネル底面と水平になるように設けてもいずれかの方向に集まることになる。また、トンネル底面が水平の場合には、一端側若しくは他端側に集まるように（係止部材４を調整するか、後述する横架部材を傾斜させることで）樋部材３をトンネル底面に対して適宜傾斜させて設ける。
【００３０】
これら複数の樋部材３同士は連結部材９を介して連結されている。この連結部材９は、図４，５に図示したように、前記樋部材３の裏面側に重合せしめられ隣接する樋部材３（の通水部）同士を連通せしめる断面視Ｌ字状の板状の連通部材10と、この連通部材10を前記樋部材３に固定する固定部材11とで構成されている。
【００３１】
本実施例においては、前記連通部材10は、隣接する前記樋部材３同士間裏面側に重合せしめられる基部33と、隣接する前記樋部材３同士間に配設されるループ状若しくは鉤状の突出部15とから成り、前記固定部材11は、前記隣接する前記樋部材３同士間表面側において前記突出部15に挿入される（突出部15及び連通部材10が裏面側に重合された樋部材３の相互対向面間に圧入される）楔部材から成るものを採用している。即ち、突出部15は、隣接する樋部材３同士の対向間隙を通過突出し得るループ状若しくは鉤状（本実施例ではループ状のものを採用）の通過突出部15である。図中符号16は、樋部材３の裏面との密着性を高め養生水２の漏出を防止するためのゴムシートである。
【００３２】
なお、本実施例においては上記構成の連結部材９を採用しているが、例えば、樋部材３同士を直接ボルトで連結する構成等、他の構成を採用しても良い。
【００３３】
また、係止部材４は、上端側に前記係止部７が設けられ下端側に前記支持部８が設けられた前記被係止部材６に吊下げ係止されるフック形状に構成されている。
【００３４】
この係止部材４は、樋部材３の被係止部材６からの吊下げ高さ及び前記樋部材３の支持角度を可変し得るように構成されている。即ち、係止部材４は金属製の細長い板材の上端側を略Ｕ字状に折曲して係止部７を形成し、下端側を略コ字状に折曲して支持部８を形成している。この支持部８は、下端側寄り部位を略９０°折り曲げて形成される樋部材３の底面裏側が丁度嵌合する嵌合部21と、この嵌合部21の上方部位を略１２０°折り曲げて形成される該嵌合部21に嵌合状態で支持される樋部材３の支持角度を規定する支持角度規定部22とで構成されている。従って、係止部７の折返し長さ（吊下げ高さ）及び支持部８の支持角度規定部22の開き角度（ガイド導入部５の密着具合）を夫々適宜調整設定することが可能となる。
【００３５】
また、前記樋部材３で集めた前記養生水２を回収する回収機構が、複数の樋部材３の下流端に設けられている。本実施例の回収機構は、図６に図示したように、貯水タンク23と、この貯水タンク23へと養生水２をガイドする集水ガイド導入部24と、再利用のための処理を行う再利用部へ送水するポンプとで構成されている。集水ガイド導入部24（回収機構）は、全部の樋部材３に対して一つだけ設けても良いし、所定数の樋部材３毎にその下流端に設ける構成（複数設ける構成）としても良い。また、集水ガイド導入部24は、上記連結部材９を用いて樋部材３と連結される。図中符号25は一端部が集水ガイド導入部24の排水口26に接続され、他端部から貯水タンク23へ排水するホースである。
【００３６】
また、被係止部材６は、前記覆工コンクリート１に養生水２を供給して養生する養生装置12をトンネル長手方向に移動させるためのレール13を支承する支承部材14に架設される横架部材（金属製パイプ）としている。
【００３７】
本実施例においては支承部材14として、覆工コンクリート１を打設する際に少なくとも一部が該覆工コンクリート１の前記左右の対向内壁面に埋設された（覆工コンクリート１と共に設けられた）取付ボルト27（スタッドボルト）に、ナット28等を用いて取り付けられるレール支承具（レールブラケット）を採用している。レール13は、レール13の底面の挿通孔及びレール支承具の水平上面部に設けた長窓を挿通せしめたボルト30及びナット31を用いて固定される。
【００３８】
本実施例においては、取付ボルト27は、トンネル長手方向に所定間隔で複数並設され、この取付ボルト27はレール支承具によりレール13をトンネル縦断勾配と平行に支持できるように夫々所定高さ位置（トンネル底面から同じ高さの位置）となるように覆工コンクリート１の打設時に設けられる。
【００３９】
このレール支承具には、横架部材を挿通して支持するための挿通開口部29が形成されており、この挿通開口部29を通じて横架されて（更に針金等を用いて固定されて）、トンネル長手方向に一つ若しくは複数配設される。横架部材は、通常、上述の通りトンネル縦断勾配と平行に設けられるレール支承具によりトンネル底面と平行（水平）に配設されるが、レール支承具をトンネル長手方向で徐々に傾斜するように設けるか、挿通開口部29（における横架部材支持部32）をトンネル長手方向で徐々に傾斜するように設ける等してトンネル底面に対して傾斜状態に設けても良い。このように、本実施例は、上記養生装置12を移動させるためのレール13を支承するレール支承具を利用して、これに係止部材４を吊下げる構成であるため、測量をすることなく樋部材３を容易に設置することが可能となる。
【００４０】
従って、本実施例は、係止部材４の係止部７を被係止部材６に引っ掛け係止した後、支持部８に樋部材３を支持せしめ（係止部７を引っ掛け係止する前に支持部８に樋部材３を支持させても良い。）、ガイド導入部５の密着度合を適宜修正し、これを繰り返して複数の樋部材３を並設し、下流端に回収機構を設けることで、トンネル内を移動する養生装置12により供給されて覆工コンクリート内壁面を伝って落下する養生水２を前記樋部材３を用いて回収し再利用することが可能となる。
【００４１】
本実施例は上述のように構成したから、覆工型枠により打設された覆工コンクリート１の養生対象部分に架台を移動せしめ、シート材と覆工コンクリート内壁面との間の空間に、養生水供給機構により霧状の水を噴霧するなどして当該部分の養生を行う際、覆工コンクリート内壁面を伝って落下する養生水２をガイド導入部５を通じて樋部材３で回収することができる。
【００４２】
また、樋部材３の覆工コンクリート内壁面への取付けは、係止部材４を養生装置12のレールを支承する支承部材14を利用して架設される横架部材を用いて極めて容易に行うことができる。
【００４３】
よって、係止部材４の係止部７を被係止部材６としての横架部材に係止すると共に係止部材４の支持部８に樋部材３を支持せしめ、この樋部材３をガイド導入部５が覆工コンクリート内壁面に接触するようにトンネル長手方向に沿って複数設けることで、トンネル内を移動する養生装置12により供給されてトンネル内壁面を伝って落下する養生水２を、樋部材３を用いて集水し回収・再利用することが容易に行えることになる。
【００４４】
また、本実施例は、養生装置12とは別個に、予め樋部材３を配設する構成であるから、以下の作用効果を奏する。
【００４５】
部材が軽量であり、設置が容易となる。また、養生装置12と分離することで、養生装置12をそれだけ軽量化でき、レールも簡易なものが採用でき、レールブラケット及びレールを軽量化でき、作業員の負担を低減できる。また、打設直後のコンクリートへの負担を軽減できる。
【００４６】
また、養生装置12と分離するため、（係止部材４により）トンネル断面の下部に設置するため、覆工面を広範囲で散水養生できる（回収樋まで流れる余剰水も覆工面を濡らすことで養生になる。）。
【００４７】
また、覆工コンクリート内壁面に凹凸がある場合も取付け可能であり、断面形状が変わっても容易に取り付けることができる。また、複数の樋部材３を用いるため、曲線部にも精度よく設置できる。
【００４８】
また、予め覆工コンクリート内壁面に固定設置することで、コンクリート面の擦れによる障害を最小限にできる。
【００４９】
また、貯水タンクと送水ポンプを定位置とすることができるから、水の供給が容易となり、ヒーターやフィルター等を追加し易く、それだれ良好な養生が可能となる。
【００５０】
よって、本実施例は、余剰の養生水が覆工コンクリート内壁面を伝って路盤に落下することを防止することができ、また、回収した養生水を再利用することもできる極めて実用性に秀れたものとなる。
【符号の説明】
【００５１】
１  覆工コンクリート
２  養生水
３  樋部材
４  係止部材
５  ガイド導入部
６  被係止部材
７  係止部
８  支持部
９  連結部材
10  連通部材
11  固定部材
12  養生装置
13  レール
14  支承部材
15  突出部
33  基部
【図１】
0005557881.tif 000002
【図２】
0005557881.tif 000003
【図３】
0005557881.tif 000004
【図４】
0005557881.tif 000005
【図５】
0005557881.tif 000006
【図６】
0005557881.tif 000007